(57)【要約】【課題】複数のカラーボールが収納された箱を割り、カラーボール１個が収納された箱に分離できるカラーボール収納箱を提供する。【解決手段】複数のカラーボールを収納する発泡ポリスチレンからなるカラーボール収納箱において、一方向に連なって設けられ、カラーボールの下半球を収納する複数の収納部と、一方向に連なって設けられ、収納部にヒンジで結合され、カラーボールの上半球を覆う複数の上蓋と、収納部と収納部の間、及び、上蓋と上蓋の間に設けられた複数の割り溝と、を備え、割り溝に沿って、複数のカラーボールが収納された箱が、カラーボール１個が収納された箱に分離可能とした。【選択図】図１
0003173954.tif 000002
【実用新案登録請求の範囲】
【請求項１】
複数のカラーボールを収納する発泡ポリスチレンからなるカラーボール収納箱において、
一方向に連なって設けられ、カラーボールの下半球を収納する複数の収納部と、
一方向に連なって設けられ、前記収納部にヒンジで結合され、カラーボールの上半球を覆う複数の上蓋と、
前記収納部と前記収納部の間、及び前記上蓋と前記上蓋の間に設けられた複数の割り溝と、が備えられ、
前記割り溝に沿って、複数のカラーボールが収納された箱が、カラーボール１個が収納された箱に分離可能であることを特徴とするカラーボール収納箱。
【請求項２】
前記割り溝は、前記収納部が前記上蓋で閉じられた状態で、前記上蓋と前記収納部が対向する２つの面を除いて、所定の深さに切り込まれていることを特徴とする請求項１に記載のカラーボール収納箱。
【請求項３】
前記ヒンジは、折り曲げ可能な板状のヒンジで、前記カラーボール収納箱と同じ発泡ポリスチレンからなることを特徴とする請求項１に記載のカラーボール収納箱。
【考案の詳細な説明】
【技術分野】
【０００１】
本考案は、カラーボール収納箱に係り、より詳しくは、複数のカラーボールが収納された発泡ポリスチレンの箱を割って、カラーボール１個が収納された箱に分離できるカラーボール収納箱に関する。
【背景技術】
【０００２】
蛍光塗料等が充填された防犯用のカラーボールは、対象物めがけて投げつけ、当たれば割れるので、塗料を車や人の衣服に付着させることができる。特許文献１には、カラーボールを携帯可能とするホルダが提案され、カラーボールを持ち運び、防犯に供することが記載されている。一般に、カラーボールは、発泡ポリスチレンの収納箱に２つがセットされて販売されている。そのため事務所内の複数の部署にカラーボールを１つずつ配布するような場合、前述のようなホルダに１個ずつ装着して渡すか、２個がセットされた収納箱をそのまま渡すことになる。発泡ポリスチレンの収納箱は軽量で外部の衝撃にも強いので、収納箱として優れており、カラーボールを１個が収納された箱にすることが望まれる。しかしながら、カラーボール１個が収納された箱にすると、１つ１つの寸法が小さくなって、販売する際の扱いが面倒である。
【先行技術文献】
【特許文献】
【０００３】
【特許文献１】特開２００５−３４６５０６号公報
【考案の概要】
【考案が解決しようとする課題】
【０００４】
本考案の目的は、複数のカラーボールが収納された箱を割り、カラーボール１個が収納された箱に分離できるカラーボール収納箱を提供することにある。
【課題を解決するための手段】
【０００５】
本考案によるカラーボール収納箱は、複数のカラーボールを収納する発泡ポリスチレンからなるカラーボール収納箱において、一方向に連なって設けられ、カラーボールの下半球を収納する複数の収納部と、一方向に連なって設けられ、前記収納部にヒンジで結合され、カラーボールの上半球を覆う複数の上蓋と、前記収納部と前記収納部の間、及び前記上蓋と前記上蓋の間に設けられた複数の割り溝と、が備えられ、前記割り溝に沿って、複数のカラーボールが収納された箱が、カラーボール１個が収納された箱に分離可能であることを特徴とする。
【０００６】
前記割り溝は、前記収納部が前記上蓋で閉じられた状態で、前記上蓋と前記収納部が対向する２つの面を除いて、所定の深さに切り込まれていることを特徴とする。
【０００７】
前記ヒンジは、折り曲げ可能な板状のヒンジで、前記カラーボール収納箱と同じ発泡ポリスチレンからなることを特徴とする。
【考案の効果】
【０００８】
本考案によるカラーボール収納箱によれば、複数のカラーボールを収納する発泡ポリスチレンからなるカラーボール収納箱において、収納部と収納部の間及び上蓋と上蓋の間に割り溝を設けたので、複数のカラーボールが収納された箱を、カラーボール１個が収納された箱に簡単に分離できる。
【０００９】
割り溝は、上蓋と収納部が対向する面を除いて、所定の深さに切り込まれているので、上方向もしくは下方向に折り曲げることによって、発泡ポリスチレンを容易に割ることができる。
【００１０】
収納部に上蓋を開閉可能に結合するヒンジは、発泡ポリスチレンからなり、折り曲げ可能な板状としたので、金型により収納部、上蓋及びヒンジを一体成型することができる。
【図面の簡単な説明】
【００１１】
【図１】本考案によるカラーボール収納箱の平面図である。
【図２】本考案によるカラーボール収納箱の正面図である。
【図３】本考案によるカラーボール収納箱の左側面図である。
【図４】本考案によるカラーボール収納箱の右側面図である。
【図５】本考案によるカラーボール収納箱の下面図である。
【図６】図１のＡ−Ａ断面図である。
【図７】本考案によるカラーボール収納箱の使い方の説明図である。（Ａ）は、カラーボール収納箱が割られていない状態を示し、（Ｂ）は、カラーボール収納箱が割られて、カラーボール１個が収納された箱に分離した状態を示す。
【考案を実施するための形態】
【００１２】
以下、図面を参照して、本考案によるカラーボール収納箱を説明する。
【実施例】
【００１３】
図１は、本考案によるカラーボール収納箱の平面図である。カラーボール収納箱１０は、発泡ポリスチレンの２つのカラーボールを収納できる収納箱であり、図１左側の上蓋１と、図１右側の収納部２からなる。上蓋１は、前方の第１上蓋１ａと後方の第２上蓋１ｂからなり、前後方向に連なっている。収納部２は、前方の第１収納部２ａと後方の第２収納部２ｂからなり、前後方向に連なっている。上蓋１は、発泡ポリスチレンのヒンジ３で収納部２に結合されている。詳細には、第１上蓋１ａが第１ヒンジ３ａで第１収納部２ａに結合され、第２上蓋１ｂが第２ヒンジ３ｂで第２収納部２ｂに結合されている。また、第１上蓋１ａと第２上蓋１ｂは、上蓋の割り溝４ａを挟んで結合され、第１収納部２ａと第２収納部２ｂは、収納部の割り溝４ｂを挟んで結合されている。
【００１４】
上蓋１の内部あるいは収納部２の内部には、半球状のカラーボール収納凹部６が設けられている。また、カラーボール収納凹部６の外側には、十字凹部７が設けられている。カラーボールが収納部２のカラーボール収納凹部６にセットされた状態では、カラーボールの外側に４つの孔が十字凹部７によって開口するので、指を孔に入れて、カラーボールをつかみやすいものとできる。
【００１５】
図２は、本考案によるカラーボール収納箱の正面図である。カラーボール５は、一点鎖線で示すように収納される。そして第１上蓋１ａが、点線の矢印のように動いて、第１収納部２ａの上部を閉じる。その場合、第１上蓋１ａの突出枠が、第１収納部２ａの内側に嵌合する。第１ヒンジ３ａで示すように、ヒンジ３は折り曲げ可能な板状とした。これにより上蓋１を開閉できる。ヒンジ３は、上蓋１及び収納部２の素材と同じ発泡ポリスチレンである。
【００１６】
図３は、本考案によるカラーボール収納箱の左側面図である。第１上蓋１ａと第２上蓋１ｂが、上蓋の割り溝４ａを挟んで結合されている。上蓋の割り溝４ａは、上蓋１を閉じた状態で、収納部２と対向する面（図３の割り溝４の上側の面）を除いて、所定の深さに切り込まれている。そのため、第１上蓋１ａを反時計回りに、第２上蓋１ｂを時計回りに回動すれば、上蓋の割り溝４ａの隙間が広がり、その上部を割り、第１上蓋１ａと第２上蓋１ｂを分離することができる。
【００１７】
図４は、本考案によるカラーボール収納箱の右側面図である。第１収納部２ａと第２収納部２ｂが、収納部の割り溝４ｂを挟んで結合されている。収納部の割り溝４ｂは、上蓋１を閉じた状態で、上蓋１と対向する面（図４の割り溝４の上側の面）を除いて、所定の深さに切り込まれている。そのため、第２収納部２ｂを反時計回りに、第１収納部２ａを時計回りに回動すれば、収納部の割り溝４ｂの隙間が広がり、その上部を割り、第１収納部２ａと第２収納部２ｂを分離することができる。
【００１８】
図５は、本考案によるカラーボール収納箱の下面図である。図５に示すように、上蓋の割り溝４ａと収納部の割り溝４ｂには、切り込み線が読み取れる。図１の符号４で示す割り溝には切り込み線がなく、互いに結合されていることを示す。
【００１９】
図６は、図１のＡ−Ａ断面図である。図６に示すように、第２上蓋１ｂの内部及び第２収納部２ｂの内部には、半球状のカラーボール収納凹部６が設けられている。第２ヒンジ３ｂに示すように、ヒンジ３は折り曲げ可能な板状とした。これにより上蓋１を開閉できる。
【００２０】
図７は、本考案によるカラーボール収納箱の使い方の説明図である。（Ａ）は、カラーボール収納箱１０が割られていない状態を示す。（Ｂ）は、カラーボール収納箱１０が割られて、カラーボール１個が収納された箱に分離した状態を示す。割り溝４は、（Ａ）の状態では、上方向と下方向に開いているので、例えば前方の第１上蓋１ａと第１収納部２ａを左手に持ち、後方の第２上蓋１ｂと第２収納部２ｂを右手に持って、左手を時計回りに右手を反時計回りに回動し、次に左手を反時計回りに右手を時計回りに回動することにより２つに割って分離することができる。なお、上蓋１を開く指掛け凹部８は、第１収納部２ａと第２収納部２ｂのそれぞれに設けた。
【産業上の利用可能性】
【００２１】
本考案は、２つのカラーボールが収納されたカラーボール収納箱を２つに割ることができるので、カラーボール１個が収納された箱を配布するような場合に適している。
【符号の説明】
【００２２】
１    上蓋
１ａ    第１上蓋
１ｂ    第２上蓋
２    収納部
２ａ    第１収納部
２ｂ    第２収納部
３    ヒンジ
３ａ    第１ヒンジ
３ｂ    第２ヒンジ
４    割り溝
４ａ    上蓋の割り溝
４ｂ    収納部の割り溝
５    カラーボール
６    カラーボール収納凹部
７    十字凹部
８    指掛け凹部
１０    カラーボール収納箱
【図１】
0003173954.tif 000003
【図２】
0003173954.tif 000004
【図３】
0003173954.tif 000005
【図４】
0003173954.tif 000006
【図５】
0003173954.tif 000007
【図６】
0003173954.tif 000008
【図７】
0003173954.tif 000009